(57)【要約】【課題】  マイコンの低消費電力モードから通常モードへの遷移がリモコン操作部の操作により可能となる低消費電力装置を提供する。【解決手段】  機器のリモコン操作部１２からの送信信号が該機器に対応する信号であることを判定すると外部割込み信号を発生するＩＲデコード部３を設け、ホストマイコン２が、ＨＡＬＴモードにある時にＩＲデコード部３から外部割込み信号を受けると、ＨＡＬＴモードから通常モードへ遷移する。【選択図】    図１
2005197897.tif 000002
【特許請求の範囲】
【請求項１】
通常の発振を行う通常状態と発振が停止する発振停止状態との間で遷移可能なマイコンが、前記通常状態にある時に機器の遠隔操作を行う遠隔操作手段からの電力供給指令／電力供給停止指令に基づいて該機器への電力供給制御を行う低消費電力装置において、
前記遠隔操作手段からの送信信号が該機器に対応する信号であることを判定すると割込み信号を発生するデコード手段を備え、
前記マイコンが、前記発振停止状態にある時に前記割込み信号を受けると、前記発振停止状態から前記通常状態へ状態遷移することを特徴とする低消費電力装置。
【請求項２】
請求項１記載の低消費電力装置であって、時間を計測するためのカウンタ手段を備え、前記マイコンが、前記通常状態にある時に前記遠隔操作手段から前記機器への電力供給停止指令を受けると、前記機器への電力供給停止制御を実行するとともに前記カウンタ手段による時間計測を開始し、一定時間内は前記通常状態から前記発振停止状態への状態遷移を禁止することを特徴とする低消費電力装置。
【請求項３】
請求項１記載の低消費電力装置であって、時間を計測するためのカウンタ手段を備え、前記マイコンが、前記発振停止状態から前記通常状態へ状態遷移すると、前記カウンタ手段による時間計測を開始し、一定時間内は前記通常状態から前記発振停止状態への状態遷移を禁止することを特徴とする低消費電力装置。
【請求項４】
通常の発振を行う通常状態とこの通常の発振よりも低い周波数で発振して内部時計を動作させる低発振状態との間で遷移可能なマイコンが、前記通常状態にある時に機器の遠隔操作を行う遠隔操作手段からの電力供給指令／電力供給停止指令に基づいて該機器への電力供給制御を行う低消費電力装置において、
前記遠隔操作手段からの送信信号の内の該機器に対応する信号であることを示す部分を所定のパルス波に変換するフィルタ手段を備え、
前記マイコンが、前記低発振状態にある時に前記フィルタ手段からパルス波を受けると、前記内部時計を用いてそのパルス波が前記所定のパルス波であるか否かを判定し、前記所定のパルス波である場合には前記低発振状態から前記通常状態へ状態遷移することを特徴とする低消費電力装置。
【請求項５】
請求項４記載の低消費電力装置であって、時間を計測するためのカウンタ手段を備え、前記マイコンが、前記通常状態にある時に前記遠隔操作手段から前記機器への電力供給停止指令を受けると、前記機器への電力供給停止制御を実行するとともに前記カウンタ手段による時間計測を開始し、一定時間内は前記通常状態から前記低発振状態への状態遷移を禁止することを特徴とする低消費電力装置。
【発明の詳細な説明】
【技術分野】
【０００１】
本発明は、ＴＶ、ＶＣＲ等の電子機器に搭載される低消費電力装置に関する。
【背景技術】
【０００２】
電子機器では、ホストマイコンがリモコン操作部からの赤外線信号（ＩＲ信号）をデコードして各種制御を行っている。そのため、ホストマイコンが、その発振が停止しているＨＡＬＴモードにある時には、ホストマイコンはリモコン操作部からのＩＲ信号のデコードを行えず、従って、従来の電子機器ではリモコン操作部によってホストマイコンをＨＡＬＴモードから通常の発振を行う通常モードへ遷移させることはできず、本体スイッチによる外部イベントが必要であった。
【０００３】
また、ホストマイコンのモードとして、通常の発振よりも低い周波数で発振して内部時計等を動作させる低発振モードを使用する場合もある。この低発振モードでは、ＨＡＬＴモードと異なり、周波数の低いクロックが発振している。そこで、低発振モード時に発振するクロック（内部時計）を用いてリモコン操作部からのＩＲ信号をデコードすることにより、低発振モードから通常モードへ遷移する低消費電力装置が従来より提案されている（例えば、特許文献１参照。）。
【０００４】
しかし、低発振モードでは、消費電力を抑えるために、発振周波数を、ＩＲ信号のキャリア周波数と同等またはＩＲ信号より低い周波数に設定しているため、キャリアを正しく除去できず、ＩＲ信号を正しく判定することはできない。そのため、低発振モードを使用する場合もＨＡＬＴモードを使用する場合と同様に、低発振モードから通常モードへの遷移には本体スイッチによる外部イベントが必要であった。
【０００５】
以上のように従来の電子機器では、ホストマイコンがＨＡＬＴモードや低発振モードなどの低消費電力モードにある時に、ホストマイコンを低消費電力モードから通常モードへ遷移させるには、本体ボタンによる外部イベントが必要であり、リモコン操作部によってホストマイコンを低消費電力モードから通常モードへ遷移させることはできなかった。
【０００６】
図１０に従来のＶＣＲの低消費電力装置に係る構成の一例を示す。この従来の低消費電力装置では、本体スイッチによってホストマイコンがＨＡＬＴモードから通常モードへ遷移する。
【０００７】
図１０において、電源１は交流電力９が入力されると直流電力（例えば５［Ｖ］の直流電圧）１０に変換してホストマイコン２、ＩＲ受光部４、電源制御部５へ出力する。電源制御部５はホストマイコン２の指令に従い、周辺回路であるチューナー部６、ビデオ信号処理部７、メカ部８へ直流電力（例えば５［Ｖ］の直流電圧）１１を供給する。
【０００８】
ホストマイコン２は通常モードとＨＡＬＴモード間で遷移可能であり、通常モードにある時のホストマイコン２は、リモコン操作部１２からの指令に従い、周辺回路と電源制御部５を制御する。また、ＨＡＬＴモードにある時のホストマイコン２はＩＲ受光部４からの信号をデコードできず、本体ボタン１８の押下によりＨＡＬＴモードから通常モードへ遷移する。
【０００９】
ＩＲ受光部４はリモコン操作部１２からのＩＲ信号を電気信号に変換してホストマイコン２へ出力する。つまりホストマイコン２は、このＩＲ受光部４からの電気信号をデコードすることによりリモコン操作部１２からの指令を判断して周辺回路と電源制御部５を制御する。
【００１０】
本体ボタン１８はホストマイコン２の外部割込み端子に接続されており、押下されると外部割込み端子に外部割込み信号を発生するように構成されている。ホストマイコン２は外部割込み信号を外部割込み端子で受けると、ＨＡＬＴモードと通常モードとの間でモード遷移を行う。
【００１１】
このように、従来のＶＣＲでは、ホストマイコンをＨＡＬＴモードから通常モードへ遷移させるのに、本体ボタンによる外部イベントを必要としていた。なお、上記した低発振モードを使用する場合であっても同様である。
【００１２】
一方、モード遷移の方法としては、本体ボタンの押下以外に、ＩＲ受光部の出力信号を外部イベントとして使用する方法も考えられるが、この場合、蛍光等などの光により誤動作が発生するという問題があった。
【００１３】
しかるに、近年の環境基準では、リモコン操作部によってホストマイコンを低消費電力モードから通常モードへ遷移させることが求められているが、従来の方法では、以上説明したようにリモコン操作部によってホストマイコンを低消費電力モードから通常モードへ遷移させることができなかった。
【特許文献１】特開平９−１９１５６９号公報
【発明の開示】
【発明が解決しようとする課題】
【００１４】
本発明は、上記問題点に鑑み、ＴＶ、ＶＣＲ等の機器に組み込まれ、ホストマイコン等のマイコンにより該機器の電力供給制御を行う低消費電力装置において、機器のリモコン操作部（遠隔操作手段）からの送信信号が該機器に対応する信号であることを判定すると外部割込み信号（割り込み信号）を発生するデコード手段を設け、マイコンが、ＨＡＬＴモード（発振停止状態）にある時に該デコード手段から外部割込み信号を受けると、ＨＡＬＴモードから通常モード（通常状態）へ遷移することにより、マイコンの低消費電力モードから通常モードへの遷移がリモコン操作部の操作により可能となる低消費電力装置を提供することを目的とする。
【００１５】
また、機器への電力供給を停止した後すぐにＨＡＬＴモードへ遷移する構成とすると、ユーザがリモコン操作部上の電力供給停止ボタン（ＰＯＷＥＲ＿ＯＦＦボタン）を押しつづけていた場合に、通常モード→ＨＡＬＴモード→通常モードを繰り返すおそれがある。ＨＡＬＴモードから通常モードへ復帰させるには、クロックの発振開始、レジスタ設定などが必要であるため、このように短い周期でＨＡＬＴモードから通常モードへのモード遷移が頻発すると発振不良等の誤動作の恐れが高くなる。同様に、低発振モードから通常モードへのモード遷移でも、メインクロックの発振開始等が必要であるため、やはり誤動作の恐れが高くなる。そこで、本発明は、機器への電力供給を停止した後、一定時間内はマイコンが通常モード（通常状態）からＨＡＬＴモード（発振停止状態）へ遷移することを禁止することにより、マイコン内部でモード遷移が頻繁することを防止する低消費電力装置を提供することを目的とする。
【００１６】
一方、ＨＡＬＴモードから通常モードへ遷移した後すぐにＨＡＬＴモードへの遷移が可能となる構成であった場合には、ユーザがリモコン操作部上の電力供給停止ボタン（ＰＯＷＥＲ＿ＯＦＦボタン）を押すことによりマイコンをＨＡＬＴモードから通常モードへ遷移させるときにそのボタンを押しつづけていると、通常モード→ＨＡＬＴモード→通常モードを繰り返すおそれがある。このように短い周期でモード遷移が頻発すると、上記したように、マイコンの誤動作等の問題が発生する。そこで、本発明は、ＨＡＬＴモード（発振停止状態）から通常モード（通常状態）へ遷移した後、一定時間内はマイコンが通常モードからＨＡＬＴモードへ遷移することを禁止することにより、マイコン内部でモード遷移が頻繁することを防止する低消費電力装置を提供することを目的とする。
【００１７】
また、本発明は、低消費電力モードとしてＨＡＬＴモード（発振停止状態）ではなく低発振モード（低発振状態）を使用する機器において、リモコン操作部（遠隔操作手段）からの送信信号の内の該機器に対応する信号であることを示す部分を所定のパルス波に変換するフィルタ手段を設け、マイコンが低発振モードにある時に該フィルタ手段からパルス波が出力されると、マイコンが内部時計を用いてそのパルス波が所定のパルス波であるか否かを判定し、所定のパルス波である場合には低発振モードから通常モード（通常状態）へ遷移することにより、マイコンの低消費電力モードから通常モードへの遷移がリモコン操作部の操作により可能となる低消費電力装置を提供することを目的とする。
【課題を解決するための手段】
【００１８】
本発明の請求項１記載の低消費電力装置は、通常の発振を行う通常状態と発振が停止する発振停止状態との間で遷移可能なマイコンが、前記通常状態にある時に機器の遠隔操作を行う遠隔操作手段からの電力供給指令／電力供給停止指令に基づいて該機器への電力供給制御を行う低消費電力装置において、前記遠隔操作手段からの送信信号が該機器に対応する信号であることを判定すると割込み信号を発生するデコード手段を備え、前記マイコンが、前記発振停止状態にある時に前記割込み信号を受けると、前記発振停止状態から前記通常状態へ状態遷移することを特徴とする。
【００１９】
また、本発明の請求項２記載の低消費電力装置は、請求項１記載の低消費電力装置であって、時間を計測するためのカウンタ手段を備え、前記マイコンが、前記通常状態にある時に前記遠隔操作手段から前記機器への電力供給停止指令を受けると、前記機器への電力供給停止制御を実行するとともに前記カウンタ手段による時間計測を開始し、一定時間内は前記通常状態から前記発振停止状態への状態遷移を禁止することを特徴とする。
【００２０】
また、本発明の請求項３記載の低消費電力装置は、請求項１記載の低消費電力装置であって、時間を計測するためのカウンタ手段を備え、前記マイコンが、前記発振停止状態から前記通常状態へ状態遷移すると、前記カウンタ手段による時間計測を開始し、一定時間内は前記通常状態から前記発振停止状態への状態遷移を禁止することを特徴とする。
【００２１】
また、本発明の請求項４記載の低消費電力装置は、通常の発振を行う通常状態とこの通常の発振よりも低い周波数で発振して内部時計を動作させる低発振状態との間で遷移可能なマイコンが、前記通常状態にある時に機器の遠隔操作を行う遠隔操作手段からの電力供給指令／電力供給停止指令に基づいて該機器への電力供給制御を行う低消費電力装置において、前記遠隔操作手段からの送信信号の内の該機器に対応する信号であることを示す部分を所定のパルス波に変換するフィルタ手段を備え、前記マイコンが、前記低発振状態にある時に前記フィルタ手段からパルス波を受けると、前記内部時計を用いてそのパルス波が前記所定のパルス波であるか否かを判定し、前記所定のパルス波である場合には前記低発振状態から前記通常状態へ状態遷移することを特徴とする。
【００２２】
また、本発明の請求項５記載の低消費電力装置は、請求項４記載の低消費電力装置であって、時間を計測するためのカウンタ手段を備え、前記マイコンが、前記通常状態にある時に前記遠隔操作手段から前記機器への電力供給停止指令を受けると、前記機器への電力供給停止制御を実行するとともに前記カウンタ手段による時間計測を開始し、一定時間内は前記通常状態から前記低発振状態への状態遷移を禁止することを特徴とする。
【発明の効果】
【００２３】
以上のように、本発明によれば、マイコンを発振停止状態や低発振状態から通常状態へ状態遷移させることが遠隔操作手段により可能となる。したがって、ＴＶ、ＶＣＲ等の機器に組み込まれ、ホストマイコン等のマイコンにより該機器の電力供給制御を行う低消費電力装置において、リモコン操作部によりマイコンを低消費電力モード（ＨＡＬＴモードや低発振モード）から通常モードへモード遷移させることが可能となる。
【００２４】
また、低発振状態を使用するマイコンでは低発振状態中に内部時計が動作するので、この内部時計を利用した。これにより、より簡単な構造で遠隔操作手段によるマイコンの低発振状態から通常状態への状態遷移が可能となる。
【００２５】
また、発振停止状態を使用するか、低発振状態を使用するかは、この装置が組み込まれる機器に求められる仕様に応じて決定可能であり、仕様しだいでは、さらに両者を混在して使用することも可能である。
【００２６】
また、本発明によれば、ユーザがリモコン操作部上の電力供給停止ボタン（ＰＯＷＥＲ＿ＯＦＦボタン）を押しつづけていた場合であっても、マイコン内部での誤動作を防止でき、マイコン内部で状態遷移が頻繁に発生することを防止することができる。従って、マイコンの誤動作もなく、また、ユーザの利便性を向上させることが可能となる。
【発明を実施するための最良の形態】
【００２７】
以下、本発明の実施の形態について図面を交えて説明する。
（実施の形態１）
図1は、本実施の形態１におけるＶＣＲの低消費電力装置に係る構成の一例を示す図である。図１において当該低消費電力装置は、電源１、ホストマイコン２、ＩＲデコード部３、ＩＲ受光部４、電源制御部５よりなる。また、図１において、チューナー部６、ビデオ信号処理部７、メカ部８は周辺回路である。
【００２８】
図１において、電源１は入力される交流電力９を直流電力（例えば５［Ｖ］の直流電圧）１０に変換して電源制御部５、ホストマイコン２、ＩＲデコード部３、ＩＲ受光部４へ供給する。電源制御部５はホストマイコン２の指令に従い、周辺回路へ直流電力（例えば５［Ｖ］の直流電圧）１１を供給する。
【００２９】
ホストマイコン２は、通常の発振を行う通常状態としての通常モードとその発振が停止する発振停止状態としてのＨＡＬＴモードの間で遷移可能なマイコンであり、通常モードにある時のホストマイコン２は、遠隔操作手段としてのリモコン操作部１２からＰＯＷＥＲ＿ＯＮ＿ＩＲ信号（電力供給指令）が送信されると、電源制御部５を制御して周辺回路への直流電力１１の供給を開始する（電力供給制御）。また、通常モードにある時のホストマイコン２は、リモコン操作部１２からの指令に従い周辺回路を制御する。
【００３０】
一方、通常モードにある時のホストマイコン２は、リモコン操作部１２からＰＯＷＥＲ＿ＯＦＦ＿ＩＲ信号（電力供給停止指令）が送信されると、電源制御部５を制御して周辺回路への直流電力１１の供給を停止するとともに（電力供給停止制御）、自らも発振を停止してＨＡＬＴモードへ遷移する。このＨＡＬＴモードでは、ホストマイコンの消費電流は一般に通常動作時の数万分の1（数μＡ）程度まで削減される。また、ＨＡＬＴモードにある時のホストマイコン２はＩＲ受光部４からの信号をデコードできない。
【００３１】
ＩＲ受光部４はリモコン操作部１２からのＩＲ信号を受信して電気信号に変換し、ＩＲデコード部３、ホストマイコン２へ出力する。つまり通常モードにある時のホストマイコン２は、このＩＲ受光部４からの電気信号をデコードすることによりリモコン操作部１２からの指令を判断して周辺回路と電源制御部５を制御する。
【００３２】
デコード手段としてのＩＲデコード部３は、ホストマイコン２の外部割込み端子に接続されており、リモコン操作部１２からの送信信号（ＩＲ信号）が当該ＶＣＲに対応する信号であると判定すると、割込み信号としての外部割込み信号を発生する。したがって、ホストマイコン２は、ＨＡＬＴモードにある時にこのＩＲデコード部３から外部割込み信号を受けると、通常モードへ遷移する。
【００３３】
以下、当該低消費電力装置の動作について説明する。ホストマイコン２がＨＡＬＴモードにある時にリモコン操作部１２から例えばＰＯＷＥＲ＿ＯＮ＿ＩＲ信号がＩＲ受光部４に対して送られると、フォトトランジスタで構成されるＩＲ受光部４は、例えば５［Ｖ］の信号に変換してＩＲデコード部３へ送信する。
【００３４】
図２は、ＩＲ信号のフォーマットの一例である。図２において、ＡはＩＲ信号のヘッダ部を示す。このヘッダ部Ａはセットに固有のものであり、このＩＲ信号が当該ＶＣＲに対応することを示す部分である。また、Ｂは当該ＶＣＲの機器コード、メーカコード、ＩＲデータ、トレーラが配置されている部分である。
【００３５】
図３（ａ）はＩＲ信号のヘッダ部Ａの拡大図を示し、図３（ｂ）はＩＲ信号をフィルタ回路に通過させた後のヘッダ部Ａを示す。また、図３（ｃ）はＩＲデコード部３の構成例を示す。
【００３６】
ＩＲ信号がＩＲデコード部３に入力されると、フィルタ回路１３によりＩＲ信号のキャリア信号が除去されて、ＩＲ信号のヘッダ部Ａは図３（ａ）に示す信号から図３（ｂ）に示す“Ｈ”レベルの信号と“Ｌ”レベルの信号へ変換される。
【００３７】
その後、ＩＲデコード部３のカウンタ部１４と比較部１５により上記“Ｈ”レベルの信号の時間（ｘ）と上記“Ｌ”レベルの信号の時間（ｙ）が比較され、当該ＶＣＲに対応するＩＲ信号のヘッダ部であると判断されると、上記“Ｈ”レベルの信号が外部割込み信号となってホストマイコン２の外部割込み端子へ送られる。ホストマイコン２はこの信号を受けると、ＨＡＬＴモードから通常モードへ遷移する。なお、カウンタ部１４と比較部１５は、例えば時間（ｘ）、（ｙ）の比が予め決められた範囲内にある場合にＩＲ受光部４で受信したＩＲ信号が当該ＶＣＲに対応するＩＲ信号のヘッダ部であると判断する。
【００３８】
ホストマイコン２が通常モードにある時には、ホストマイコン２にてＩＲ信号のデコードを行えるので、ユーザがＰＯＷＥＲ＿ＯＮ＿ＩＲ信号を送信すれば、ホストマイコン２が、ホストマイコン２内部でのデコード処理に基づく指令を電源制御部5へ送り、この指令を受けた電源制御部５が周辺回路への電力供給を開始する。
【００３９】
また、図４（ａ）は、ホストマイコン２による通常モード遷移後のモード遷移禁止処理のフローチャートを示す。内部的に頻繁にモード遷移するのを防止するために、ホストマイコン２は、外部割込み信号が発生して通常モードへ遷移すると、時間を計測するためのカウンタ手段としての内部カウンタを起動して時間の計測を開始し、一定時間（例えば、図４（ａ）に示すように１０分間）はＨＡＬＴモードへのモード遷移を禁止する。
【００４０】
また、図４（ｂ）は、ホストマイコン２による電力供給停止制御後のモード遷移禁止処理のフローチャートを示す。内部的に頻繁にモード遷移するのを防止するために、ホストマイコン２は、リモコン操作部１２から電力供給の停止を指令するＰＯＷＥＲ＿ＯＦＦ＿ＩＲ信号が送信されると、電力供給停止制御を実行するとともに、時間を計測するためのカウンタ手段としての内部カウンタを起動して時間の計測を開始し、一定時間（例えば、図４（ｂ）に示すように１０分間）は通常モードからＨＡＬＴモードへの遷移を禁止する。そして１０分経過後にＨＡＬＴモードへの遷移を許可し、他の指令が無ければＨＡＬＴモードへ遷移する。
【００４１】
以上のように、当該低消費電力装置によれば、ユーザがリモコン操作部により何らかの操作をすると、それがトリガとなってホストマイコンがＨＡＬＴモードから通常モードへ遷移する。
【００４２】
なお、ＩＲ信号のヘッダ部から抽出される上記“Ｈ”レベルの信号と“Ｌ”レベルの信号の時間（ｘ）、（ｙ）は当該ＶＣＲのセットに固有のものであるので、誤動作のおそれはない。
【００４３】
また、ＩＲ信号のヘッダ部のみの識別になるため、例えばユーザがＰＯＷＥＲ＿ＯＮ＿ＩＲ信号を送信したとしても、そのＩＲ信号がＰＯＷＥＲ＿ＯＮ＿ＩＲ信号であることを識別することはできないが、通常モードへの遷移後はホストマイコンによるデコード処理が可能となるので、リモコン操作部のＰＯＷＥＲ＿ＯＮボタンの二度押しや押しつづけにより速やかに電力供給を開始できる。なお、無論、リモコン操作部の任意のボタンを押した後にＰＯＷＥＲ＿ＯＮボタンを押すようにしてもよい。
【００４４】
また、ここではＩＲデコード部にカウンタ部と比較部を使用したが、リモコン操作部に用いられる非常に小さなマイコンを用いても同様に構成可能である。
（実施の形態２）
図５は、本実施の形態２におけるＶＣＲの低消費電力装置に係る構成の一例を示す図である。但し、前述した実施の形態１で説明した部材に対応する部材には同一の符号を付して説明を省略する。
【００４５】
当該ＶＣＲにおけるホストマイコン２では、低消費電力モードとして、通常の発振よりも低い周波数で発振する低発振状態としての低発振モードを使用し、低発振モードでは内部時計を動作させる。
【００４６】
通常モードにある時のホストマイコン２は、リモコン操作部１２からＰＯＷＥＲ＿ＯＦＦ＿ＩＲ信号（電力供給停止指令）が送信されると、電源制御部５を制御して周辺回路への直流電力１１の供給を停止するとともに（電力供給停止制御）、低発振モードへモード遷移する。低発振モードにある時のホストマイコン２は、例えば３２ｋＨｚのクロックにより動作した状態となる。この状態では、ホストマイコンの消費電流は、一般に通常動作時の数千分の1（ＨＡＬＴモードの数倍の消費電流）程度まで削減される。また、低発振モードにある時のホストマイコン２は、発振周波数がＩＲ信号のキャリア周波数とほぼ同じであるため、ＩＲ受光部４からの信号をデコードできない。
【００４７】
フィルタ手段としてのＩＲフィルタ部１６は、リモコン操作部１２からの送信信号（ＩＲ信号）の内の当該ＶＣＲに対応する信号であることを示す部分を所定のパルス波に変換する。
【００４８】
ＩＲ信号は図２と同様であり、ＩＲフィルタ部１６にＩＲ信号を通過させた後のヘッダ部Ａを図６に示す。また、図７はＩＲフィルタ部１６の構成例を示す。図２に示すＩＲ信号がＩＲフィルタ部１６に入力されると、ＩＲ信号のキャリア信号が除去されて、ＩＲ信号のヘッダ部Ａは図２に示す信号から図６に示す“Ｈ”レベルの信号と“Ｌ”レベルの信号へ変換される。そして、この信号がホストマイコン２へ送られる。
【００４９】
ホストマイコン２は、内部時計を含む時間判別部１７により上記“Ｈ”レベルの信号と“Ｌ”レベルの信号の時間（ｘ）、（ｙ）を計測し当該ＶＣＲに対応するＩＲ信号のヘッダ部であるか否かを判別する。その結果、時間判別部１７により当該ＶＣＲに対応するＩＲ信号のヘッダ部であると判断されると、ホストマイコン２は通常モードへモード遷移する。
【００５０】
図８に、低発振モードにある時のホストマイコン２がリモコン操作部１２からの送信信号により通常モードへ遷移するときのホストマイコン２の処理フローを示す。ホストマイコン２内部の時間判別部１７は、ＩＲフィルタ部１６から“Ｈ”レベルの信号が入力されるとそのＨレベル区間の時間（ｘ）を計測し、さらにそれに続くＬレベル区間の時間（ｙ）を計測し、ｘとｙが予め決められた時間（ａ１＜ｘ＜ａ２、ｂ１＜ｙ＜ｂ２）の範囲内である場合に、当該ＶＣＲに対応するリモコン操作部１２からの入力であると判定し、これによりホストマイコン２が通常モードへ遷移する。
【００５１】
ホストマイコン２が通常モードにある時には、ホストマイコン２はＩＲ信号のデコードを行えるので、ユーザがＰＯＷＥＲ＿ＯＮ＿ＩＲ信号を送信すれば、ホストマイコン２が、ホストマイコン２内部でのデコード処理に基づく指令を電源制御部5へ送り、この指令を受けた電源制御部５が周辺回路への電力供給を開始する。
【００５２】
低発振モードでは、ホストマイコン２はＩＲ信号のキャリア周波数とほぼ同じ周波数の発振周波数となるため（３２ｋＨｚ）、ＩＲ信号のデコードを行うことはできないが、フィルタ回路を通過した後の上記“Ｈ”レベルの信号と“Ｌ”レベルの信号の時間計測は可能である。この時間は、当該ＶＣＲのセットに固有のものであるので、誤動作のおそれはない。
【００５３】
また、ＩＲ信号のヘッダ部のみの識別になるため、例えばユーザがＰＯＷＥＲ＿ＯＮ＿ＩＲ信号を送信したとしても、そのＩＲ信号がＰＯＷＥＲ＿ＯＮ＿ＩＲ信号であることを識別することはできないが、通常モードへの遷移後はホストマイコンによるデコード処理が可能となるので、リモコン操作部のＰＯＷＥＲ＿ＯＮボタンの二度押しや押しつづけにより速やかに電力供給を開始できる。なお、無論、リモコン操作部の任意のボタンを押した後にＰＯＷＥＲ＿ＯＮボタンを押すようにしてもよい。
【００５４】
また、図９は、ホストマイコン２による電力供給停止制御後のモード遷移禁止処理のフローチャートを示す。内部的に頻繁にモード遷移するのを防止するために、ホストマイコン２は、リモコン操作部１２からＰＯＷＥＲ＿ＯＦＦ＿ＩＲ信号が送信されると、電力供給停止制御を実行するとともに、時間を計測するためのカウンタ手段としての内部カウンタを起動して時間の計測を開始し、一定時間（例えば、図９に示すように１０分間）は通常モードから低発振モードへのモード遷移を禁止する。そして１０分経過後に低発振モードへの遷移を許可し、他の指令が無ければ低発振モードへ遷移する。
【００５５】
以上のように、当該低消費電力装置によれば、ユーザがリモコン操作部により何らかの操作をすると、それがトリガとなってホストマイコンが低発振モードから通常モードへ遷移する。
【産業上の利用可能性】
【００５６】
本発明にかかる低消費電力装置は、リモコン操作部によりマイコンを低消費電力モード（ＨＡＬＴモードや低発振モード）から通常モードへモード遷移させることができ、マイコンにより機器の電力制御を行っている装置などに適している。
【図面の簡単な説明】
【００５７】
【図１】本発明の実施の形態１におけるＶＣＲの低消費電力装置に係る構成の一例を示す図
【図２】ＩＲ信号のフォーマットの一例を示す図
【図３】（ａ）ＩＲ信号のヘッダ部Ａを示す図  （ｂ）本発明の実施の形態１におけるＩＲデコード部３内部のフィルタ回路にＩＲ信号を通過させた後のヘッダ部Ａを示す図  （ｃ）本発明の実施の形態１におけるＩＲデコード部３の構成例を示す図
【図４】（ａ）本発明の実施の形態１におけるホストマイコン２による通常モード遷移後のモード遷移禁止処理のフローチャートを示す図  （ｂ）本発明の実施の形態１におけるホストマイコン２による電力供給停止制御後のモード遷移禁止処理のフローチャートを示す図
【図５】本発明の実施の形態２におけるＶＣＲの低消費電力装置に係る構成の一例を示す図
【図６】本発明の実施の形態２におけるＩＲフィルタ部１６にＩＲ信号を通過させた後のヘッダ部Ａを示す図
【図７】本発明の実施の形態２におけるＩＲフィルタ部１６の構成例を示す図
【図８】本発明の実施の形態２における低発振モードにある時のホストマイコン２によるＩＲ信号デコード処理のフローチャートを示す図
【図９】本発明の実施の形態２におけるホストマイコン２による電力供給停止制御後のモード遷移禁止処理のフローチャートを示す図
【図１０】従来のＶＣＲの低消費電力装置に係る構成の一例を示す図
【符号の説明】
【００５８】
１      電源
２      ホストマイコン
３      ＩＲデコード部
４      ＩＲ受光部
５      電源制御部
６      チューナー部
７      ビデオ信号処理部
８      メカ部
９      交流電力（ＡＣライン）
１０、１１      直流電力（５Ｖライン）
１２      リモコン操作部
１３      フィルタ回路
１４      カウンタ部
１５      比較部
１６      ＩＲフィルタ部
１７      時間判別部
１８      本体ボタン
【図１】
2005197897.tif 000003
【図２】
2005197897.tif 000004
【図３】
2005197897.tif 000005
【図４】
2005197897.tif 000006
【図５】
2005197897.tif 000007
【図６】
2005197897.tif 000008
【図７】
2005197897.tif 000009
【図８】
2005197897.tif 000010
【図９】
2005197897.tif 000011
【図１０】
2005197897.tif 000012